(57)【要約】【課題】前後のみならず左右にも折畳むことができ、折畳み後の体積が小さくなるベビーカーの提供。【解決手段】後方が開口したＵ字型の底部支持部１と前部支持部２とを有し、底部支持部１はその前端の底部プラスチック部３にピン連結された２つの底部分岐パイプ４とを有し、底部プラスチック部３の下部と底部分岐パイプ４の後端の各々にはホイール５が装着され、前部支持部２は前端の前部プラスチック部６にピン連結された２つの前部分岐パイプ７を有し、底部プラスチック部３は前部プラスチック部６に横方向にピン連結され、２つの前部分岐パイプ７はそれぞれ後端においてプッシュロッド９に上部ジョイント８を介してピン連結され、プッシュロッド９の前部は前方に延びて前部分岐パイプ７の下部に位置され、プッシュロッド９は、前部分岐パイプ７とロックされる下部ジョイント１０を前部に有し、Ｘ字型の支持部１１が２つの下部ジョイント１０と底部分岐パイプ４との間にピン連結されている。【選択図】図１
2008285127.tif 000002
【特許請求の範囲】
【請求項１】
後方が開口したＵ字型の底部支持部（１）と前部支持部（２）とを有し、
底部支持部（１）は、その前端の底部プラスチック部（３）と、該底部プラスチック部（３）に上下方向にピン連結された２つの底部分岐パイプ（４）とを有し、
底部プラスチック部（３）の下部と底部分岐パイプ（４）の後端の各々にはホイール（５）が装着されてなり、
前部支持部（２）は、前端の前部プラスチック部（６）と、該前部プラスチック部（６）に上下方向にピン連結された２つの前部分岐パイプ（７）とを有し、
前記底部プラスチック部（３）は前記前部プラスチック部（６）に横方向にピン連結されてなり、
前記２つの前部分岐パイプ（７）はそれぞれ後端においてプッシュロッド（９）に上部ジョイント（８）を介してピン連結され、
プッシュロッド（９）の前部は前方に延びて前部分岐パイプ（７）の下部に位置され、プッシュロッド（９）は、前部分岐パイプ（７）とロックされる下部ジョイント（１０）を前部に有しており、
Ｘ字型の支持部（１１）が２つの下部ジョイント（１０）と底部分岐パイプ（４）との間にピン連結されている
折畳み式ベビーカー。
【請求項２】
上向きに開口する溝（１６）が前部分岐パイプ（７）の下部とプッシュロッド（９）の前端とに設けられており、
プッシュロッド（９）はその前端開口部にロックスライドブロック（１７）を備え、該ロックスライドブロック（１７）は溝（１６）内に入り込み得るものであり、
ロックスライドブロック（１７）はその後端にスプリング（１８）を備えて、スプリング（１８）はプッシュロッド（９）の内部空所内で調節ピン（１９）に固定されており、
ロックスライドブロック（１７）はその後端を引っ張りロープ（２３）に連結されて、引っ張りロープ（２３）はその後端を折畳みハンドル（２０）に連結され、折畳みハンドル（２０）はプッシュロッド（９）後部のチューブ内に配置されて、折畳みハンドル（２０）はその外側にトグルブロック（２１）を備え、トグルブロック（２１）の位置に対応してプッシュロッド（９）にはトグル穴（２２）が設けられている
請求項１に記載の折畳み式ベビーカー。
【請求項３】
２つのプッシュロッド（９）はそれらの後部の間において折畳み支持ロッド（１２）とピン連結されており、折畳み支持ロッド（１２）はその中間部に結合カバー（２４）を備え、結合カバー（２４）は折畳みボタン（１３）を備えている
請求項１に記載の折畳み式ベビーカー。
【請求項４】
２つの底部分岐パイプ（４）はそれらの後部の間で折畳み底部支持ロッド（１４）にピン連結されており、底部支持ロッド（１４）と底部プラスチック部（３）との間に連結ロッド（１５）が連結されている
請求項１に記載の折畳み式ベビーカー。
【発明の詳細な説明】
【技術分野】
【０００１】
本発明は、折畳み式ベビーカーに関するものである。
【背景技術】
【０００２】
市場で現在入手できるベビーカーはリフトバッグを備えたフレームと、バスケット或いはシートを有し、フレームは前底部にフロントホイール部品を、後底部にリヤホイール部品を有し、フレームは左右に対称配置された２つの側部フレームとそれらの間に連結された多数のクロスバーとを有し、各側部フレームはフロントホイール支持部と、リヤホイール支持部と、押し込み保持ロッドとを有し、フレームはベビーカーを展開したときにロック可能となっている。
【特許文献１】特開２００６−２９０２１３号公報
【発明の開示】
【発明が解決しようとする課題】
【０００３】
このようなベビーカーの欠点は以下のとおりである。
１．全体構造は基本的に左右の２つのフレームを有し、これらは左右ではなく前後にのみ折畳むことができ、折畳んだ後にも依然として大きな体積を有していて、収納や持ち運びに不便である。
２．フレーム構造が比較的複雑であり、左右の２つのフレームの間に多数のクロスバーが連結され固定されているので、折畳みの際の邪魔が多く、使用を面倒なものとしている。
【課題を解決するための手段】
【０００４】
本発明は上記従来の問題点に鑑み案出したものであって、前後のみならず左右にも折畳むことができ、折畳み後の体積が小さくなり、また折畳みの際の邪魔が少ないので、収納及び持ち運びがより便利となる折畳み式ベビーカーを提供することを目的とし、その請求項１は、後方が開口したＵ字型の底部支持部と前部支持部とを有し、底部支持部は、その前端の底部プラスチック部と、該底部プラスチック部に上下方向にピン連結された２つの底部分岐パイプとを有し、底部プラスチック部の下部と底部分岐パイプの後端の各々にはホイールが装着されてなり、前部支持部は、前端の前部プラスチック部と、該前部プラスチック部に上下方向にピン連結された２つの前部分岐パイプとを有し、前記底部プラスチック部は前記前部プラスチック部に横方向にピン連結されてなり、前記２つの前部分岐パイプはそれぞれ後端においてプッシュロッドに上部ジョイントを介してピン連結され、プッシュロッドの前部は前方に延びて前部分岐パイプの下部に位置され、プッシュロッドは、前部分岐パイプとロックされる下部ジョイントを前部に有しており、Ｘ字型の支持部が２つの下部ジョイントと底部分岐パイプとの間にピン連結されていることである。
【０００５】
また、請求項２は、後方が開口したＵ字型の底部支持部と前部支持部とを有し、底部支持部はその前端の底部プラスチック部と該底部プラスチック部に上下方向にピン連結された２つの底部分岐パイプとを有し、底部プラスチック部の下部と底部分岐パイプの後端の各々にはホイールが装着されており、前部支持部は前端の前部プラスチック部と前部プラスチック部に上下方向にピン連結された２つの前部分岐パイプとを有し、底部プラスチック部は前部プラスチック部に横方向にピン連結されており、２つの前部分岐パイプはそれぞれ後端においてプッシュロッドに上部ジョイントを介してピン連結されており、プッシュロッドの前部は前方に延びていて、前部分岐パイプの下部に位置され、プッシュロッドは、前部分岐パイプとロックされる下部ジョイントを、前部に有しており、Ｘ字型の支持部が２つの下部ジョイントと底部分岐パイプとの間にピン連結されており、上向きに開口する溝が前部分岐パイプの下部とプッシュロッドの前端とに設けられており、プッシュロッドはその前端開口部にロックスライドブロックを備え、該ロックスライドブロックは溝内に入り込み得るものであり、ロックスライドブロックはその後端にスプリングを備えて、スプリングはプッシュロッドの内部空所内で調節ピンに固定されており、ロックスライドブロックはその後端を引っ張りロープに連結されて、引っ張りロープはその後端を折畳みハンドルに連結され、折畳みハンドルはプッシュロッド後部のチューブ内に配置されて、折畳みハンドルはその外側にトグルブロックを備え、トグルブロックの位置に対応してプッシュロッドにはトグル穴が設けられていることである。
【０００６】
また、請求項３および４は、２つの前部分岐パイプは前部プラスチック部に上下方向にピン連結されており、底部プラスチック部は前部プラスチック部とピン連結されており、２つの前部分岐パイプはそれぞれ後端においてプッシュロッドに上部ジョイントを介してピン連結されており、プッシュロッドの前部は前方に延びていて、前部分岐パイプの下部に位置され、プッシュロッドは、前部分岐パイプとロックされる下部ジョイントを、前部に有しており、Ｘ字型の支持部が２つの下部ジョイントと底部分岐パイプとの間にピン連結されており、上向きに開口する溝が前部分岐パイプの下部とプッシュロッドの前端とに設けられており、プッシュロッドはその前端開口部にロックスライドブロックを備えており、ロックスライドブロックは溝内に入り込み得るものであり、ロックスライドブロックはその後端にスプリングを備えており、スプリングはプッシュロッドの内部空所内で調節ピンに固定されており、ロックスライドブロックはその後端を引っ張りロープに連結されており、引っ張りロープはその後端を折畳みハンドルに連結されており、折畳みハンドルはプッシュロッド後部のチューブ内に配置されており、折畳みハンドルはその外側にトグルブロックを備えており、トグルブロックの位置に対応してプッシュロッドにはトグル穴が設けられており、２つのプッシュロッドはそれらの後部の間において折畳み支持ロッドとピン連結されており、折畳み支持ロッドはその中間部に結合カバーを備えており、結合カバーは折畳みボタンを備えており、２つの底部分岐パイプはそれらの後部の間で折畳み底部支持ロッドにピン連結されており、底部支持ロッドと底部プラスチック部との間に連結ロッドが連結されていることである。
【発明の効果】
【０００７】
本折畳み式ベビーカーの利点は以下のとおりである。
１．前後のみならず左右にも折畳むことができ、折畳み後の体積が小さくなり、また折畳みの際の邪魔が少ないので、収納及び持ち運びがより便利となっている。
２．底部支持部と前部支持部はすべてＵ字型であり、Ｘ字型支持部は底部支持部と前部支持部との間でピン連結されており、折畳みの際の横方向の邪魔を回避している。
【実施例】
【０００８】
以下、本発明の実施例を図面に基づいて説明する。
図１、図２、図３、図４、図５、図６、図７、図８及び図９に示された折畳み式ベビーカーは、後方が開口したＵ字型の底部支持部１と前部支持部２とを有する。
底部支持部１は、前端の底部プラスチック部３と、底部プラスチック部３に上下方向にピン連結された２つの底部分岐パイプ４とを有しており、底部プラスチック部３の下部及び底部分岐パイプ４の後端の各々にはホイール５が装着されており、２つの底部分岐パイプ４はそれらの後部の間で折畳み底部支持ロッド１４によりピン連結されており、底部支持ロッド１４と底部プラスチック部３との間に連結ロッド１５が連結されている。
【０００９】
前部支持部２は、前端の前部プラスチック部６と、前部プラスチック部６に上下方向にピン連結された２つの前部分岐パイプ７とを有し、底部プラスチック部３は前部プラスチック部６に横方向にピン連結されており、２つの前部分岐パイプ７はそれぞれ後端においてプッシュロッド９に上部ジョイント８を介してピン連結されており、プッシュロッド９の前部は前方に延びていて、前部分岐パイプ７の下部に位置され、プッシュロッド９は、前部分岐パイプ７とロックされる下部ジョイント１０を、前部に有しており、Ｘ字型の支持部１１が２つの下部ジョイント１０と底部分岐パイプ４との間にピン連結されており、２つのプッシュロッド９はそれらの後部の間において折畳み支持ロッド１２とピン連結されており、折畳み支持ロッド１２はその中間部に結合カバー２４を備えており、結合カバー２４は折畳みボタン１３を備えている。
【００１０】
図７の部分拡大図で示すように、上向きに開口する溝１６が前部分岐パイプ７の下部とプッシュロッド９の前端とに設けられており、プッシュロッド９はその前端開口部にロックスライドブロック１７を備えており、ロックスライドブロック１７は溝１６内に入り込み得るものであり、ロックスライドブロック１７はその後端にスプリング１８を備えており、スプリング１８はプッシュロッド９の内部空所内で調節ピン１９に固定されており、ロックスライドブロック１７はその後端を引っ張りロープ２３に連結されており、引っ張りロープ２３はその後端を折畳みハンドル２０に連結されており、折畳みハンドル２０はプッシュロッド９後部のチューブ内に配置されており、折畳みハンドル２０はその外側にトグルブロック２１を備えており、トグルブロック２１の位置に対応してプッシュロッド９にはトグル穴２２が設けられている。
【００１１】
ベビーカーを折畳むには、図９で示すように、折畳みボタン１３を押して保持して、折畳み支持ロッド１２を折畳み、次に両側のプッシュロッド９の折畳みハンドル２０のトグルブロック２１を持ち上げ、引っ張りロープ２３を引っ張ってロックスライドブロック１７を上方にスライドさせ、ロックスライドブロック１７が前部分岐パイプ７下方の溝１６から完全に退いたら、プッシュロッド９に前方への力を加える、それでベビーカーを折畳むことができる。
【００１２】
ベビーカーを展開させるには、プッシュロッド９を持ち上げて引っ張り、前部支持部２から分離させ、ロックスライドブロック１７の下部は前部分岐パイプ７の下部と接しており、スプリング１８の圧力によりロックスライドブロック１７が前部分岐パイプ７下方の溝１６内にスライドして固定し、結合カバー２４を持ち上げて折畳み支持ロッド１２を真っ直ぐに引っ張る、それでベビーカーは完全に展開されてロックされる。
【００１３】
このようにベビーカーを折畳む際には、トグルブロック２１を指で後方側へ引っ張り、引っ張りロープ２３を介してロックスライドブロック１７を引き上げ、溝１６からロックスライドブロック１７を抜き取ることで、左右のプッシュロッド９，９はそれぞれ上部ジョイント８，８を介して左右の前部分岐パイプ７，７上に重ね合わせて折畳むことができ、また、左右の前部分岐パイプ７は左右の底部分岐パイプ４，４上に折畳むことができ、左右の底部分岐パイプ４，４上に左右の前部分岐パイプ７，７及びその上に左右のプッシュロッド９，９が三つ折り状に折畳まれて、前後方向の長さが極めて短い折畳み状態となる。
【００１４】
また、さらに底部プラスチック部３を中心として左右の底部分岐パイプ４，４は幅方向寸法を縮めるように畳まれ、このときに折畳み底部支持ロッド１４がその中央部で折り曲げられ、また、Ｘ字型支持部１１も幅方向に折畳まれ、さらに折畳み支持ロッド１２も中央の結合カバー２４で折り曲げ状態となり、幅方向寸法を縮小させてコンパクトに折畳むことができるものであり、しかも、折畳み操作は極めて容易に行うことができるものである。
【００１５】
このように前後のみならず左右にも折畳むことができ、折畳み後の体積が小さくなり、また折畳みの際の邪魔が少ないので、収納及び持ち運びがより便利となっており、底部支持部１と前部支持部２はすべてＵ字型であり、Ｘ字型支持部１１は底部支持部１と前部支持部２との間でピン連結されており、折畳みの際の横方向の邪魔を回避している。
【図面の簡単な説明】
【００１６】
【図１】折畳み式ベビーカーの概略図である。
【図２】折畳み式ベビーカーの正面図である。
【図３】折畳み式ベビーカーの背面図である。
【図４】折畳み式ベビーカーの左側面図である。
【図５】折畳み式ベビーカーの（一部を断面で示した）右側面図である。
【図６】折畳み式ベビーカーの（一部を断面で示した）右側面図である。
【図７】折畳み式ベビーカーの部分拡大断面図である。
【図８】折畳み式ベビーカーの底面図である。
【図９】折畳み式ベビーカーの半折畳み状態の概略図である。
【符号の説明】
【００１７】
１  底部支持部
２  前部支持部
３  底部プラスチック部
４  底部分岐パイプ
５  ホイール
６  前部プラスチック部
７  前部分岐パイプ
８  上部ジョイント
９  プッシュロッド
１０  下部ジョイント
１１  Ｘ字型支持部
１２  折畳み支持ロッド
１３  折畳みボタン
１４  折畳み底部支持ロッド
１５  連結ロッド
１６  溝
１７  ロックスライドブロック
１８  スプリング
１９  調節ピン
２０  折畳みハンドル
２１  トグルブロック
２２  トグル穴
２３  引っ張りロープ
２４  結合カバー
【図１】
2008285127.tif 000003
【図２】
2008285127.tif 000004
【図３】
2008285127.tif 000005
【図４】
2008285127.tif 000006
【図５】
2008285127.tif 000007
【図６】
2008285127.tif 000008
【図７】
2008285127.tif 000009
【図８】
2008285127.tif 000010
【図９】
2008285127.tif 000011